(57)【要約】【課題】構造が簡単で、且つ、装着する電子機器で取り扱うデータを記録することができるバッテリパックを提供するとともに、このバッテリパックに記録したデータを簡単に操作できる充電器を提供することである。【解決手段】バッテリパックは、電子機器で処理されたデータを記憶することができるデータ記憶手段と、電子機器又は充電器からの制御信号に基づき、データ記憶手段に対するデータの読み出し処理、書き込み処理、削除処理、複製処理を制御するデータ制御手段と、通信端子を介し、データ制御手段によって制御されるデータの送受信を行うデータ通信手段とを内蔵し、充電器は、通信端子を介してバッテリパックとの間でデータの送受信を行うデータ通信手段と、データ通信手段を介してバッテリパックのデータ記憶手段に対するデータの読み出し処理、書き込み処理、削除処理、複製処理を指示する制御信号を送出するデータ操作手段と、データ通信手段を介して取得したデータを再生することができるデータ再生手段とを備えた構成とする。【選択図】  図５
2004335248.tif 000002
【特許請求の範囲】
【請求項１】
電子機器と接続して電力を供給し、又、充電器と接続して充電するための接続端子と、
前記電子機器や前記充電器と接続してデータ通信を行うための通信端子とを有するバッテリパックであって、
前記電子機器で処理されたデータを記憶することができるデータ記憶手段と、前記電子機器又は前記充電器からの制御信号に基づき、前記データ記憶手段に対する前記データの読み出し処理、書き込み処理、削除処理、複製処理を制御するデータ制御手段と、
前記通信端子を介し、前記データ制御手段によって制御される前記データの送受信を行うデータ通信手段と、
を内蔵していること
を特徴とするバッテリパック。
【請求項２】
前記データ記憶手段は、前記電子機器で処理されたデータと共に  バッテリパックの電力容量に関する情報を記憶すること
を特徴とする請求項１に記載のバッテリパック。
【請求項３】
前記データ通信手段は、前記通信端子を介してバッテリパックの電力容量に関する情報を送信すること
を特徴とする請求項１に記載のバッテリパック。
【請求項４】
電子機器で処理されたデータを記憶するデータ記憶手段を備えたバッテリパックを充電することができる充電器であって、
前記バッテリパックと接続して充電するための接続端子と、
前記バッテリパックと接続してデータ通信するための通信端子とを有し、
前記通信端子を介して前記バッテリパックとの間で前記データの送受信を行うデータ通信手段と、
前記データ通信手段を介して前記バッテリパックのデータ記憶手段に対する前記データの読み出し処理、書き込み処理、削除処理、複製処理を指示する制御信号を送出するデータ操作手段と、
前記データ通信手段を介して取得した前記データを再生することができるデータ再生手段と、
を備えていること
を特徴とする充電器。
【請求項５】
電子機器で処理されたデータを記憶するデータ記憶手段を備えたバッテリパックを充電することができる充電器であって、
前記バッテリパックと接続して充電するための接続端子と、
前記バッテリパックと接続してデータ通信するための通信端子とを有し、
前記通信端子を介して前記バッテリパックとの間で前記データの送受信を行うデータ通信手段と、
前記データ通信手段を介して前記バッテリパックのデータ記憶手段に対する前記データの読み出し処理、書き込み処理、削除処理、複製処理を指示する制御信号を送出するデータ操作手段と、
前記データ通信手段で介して取得した前記データを出力するためのデータ出力手段と、
を備えていること
を特徴とする充電器。
【請求項６】
電子機器で処理されたデータを記憶するデータ記憶手段を備えたバッテリパックを充電することができる充電器であって、
前記バッテリパックと接続して充電をするための接続端子と、
前記バッテリパックと接続してデータ通信するための第１の通信端子と、
前記バッテリパックのデータ記憶手段に対する前記データの読み出し処理、書き込み処理、削除処理、複製処理を制御することができる情報処理装置と接続してデータ通信するための第２の通信端子と、
前記第１の通信端子を介して前記バッテリパックと前記データを送受信する第１の通信手段と、
前記第２の通信端子を介して前記データを送受信する第２の通信手段と、
前記第１及び第２の通信手段を介して前記バッテリパックと前記情報処理装置との間における前記データの送受信を制御するデータ操作制御手段と、
を備えていること
を特徴とする充電器。
【発明の詳細な説明】
【０００１】
【発明の属する技術分野】
本発明は、バッテリパック及び充電器に関するものである。詳しくは、装着する電子機器で取り扱うデータを記録することができるバッテリパックとこのバッテリパックに記録したデータを操作することができる充電器に関するものである。
【０００２】
【従来の技術】
従来技術において、例えば、デジタルビデオカメラや携帯情報機器などの電子機器を屋外や外出先で使用するため、充電器によって繰り返して充電可能な蓄電池（以下、バッテリパックという）を装着して電力を供給し、駆動できるようになっている。
【０００３】
そして、このような電子機器によって記録されるデータ（例えば、デジタルビデオカメラで撮影した画像データなど）は、メモリカードや機器に装備している記録装置にセットした記録媒体（磁気テープ、ディスクなど）に記録される。
【０００４】
また、このような電子機器本体を小型化するため、バッテリパックにメモリカードを挿抜できるようにして、バッテリパックに装着したメモリカードにデータを記録できるビデオカメラも考案されている（例えば、特許文献１参照。）。
【０００５】
【特許文献１】
特開２００１−７８０６８号公報（第４頁、図１）
【０００６】
【発明が解決しようとする課題】
しかしながら、上述したメモリカードを挿抜できるバッテリパックでは、メモリカードの挿抜機構をバッテリパック自体に設けなければならないため、構造が複雑になり、従来のバッテリパックよりコストも高くなる。また、バッテリパックとメモリカードが別体であるため、メモリカードの携行を忘れたり、紛失、破壊したりする場合もあり、取り扱いに難点がある。
【０００７】
また、バッテリパックに装着するメモリカードに記録されているデータを読み出したり、書き換えたり、削除（消去）するなどの操作を行うとき、バッテリパックにメモリカードをセットし、メモリカードがセットされたバッテリパックを電子機器本体に装着する、又は、バッテリパックからメモリカード抜いて、メモリカードのデータを読み出し／書き込みできるような別の機器にセットしないと、再生したり表示したりすることができないので手間がかかり、煩わしいという問題もある。
【０００８】
従って、構造が簡単で、且つ、装着する電子機器で取り扱うデータを記録することができるバッテリパックを提供するとともに、このバッテリパックに記録したデータを簡単に操作できるようにすることに解決しなければならない課題を有する。
【０００９】
【課題を解決するための手段】
前記課題を解決するため、本発明に係るバッテリパック及び充電器は次のような構成にすることである。
【００１０】
（１）電子機器と接続して電力を供給し、又、充電器と接続して充電するための接続端子と、前記電子機器や前記充電器と接続してデータ通信を行うための通信端子とを有するバッテリパックであって、前記電子機器で処理されたデータを記憶することができるデータ記憶手段と、
前記電子機器又は前記充電器からの制御信号に基づき、前記データ記憶手段に対する前記データの読み出し処理、書き込み処理、削除処理、複製処理を制御するデータ制御手段と、前記通信端子を介し、前記データ制御手段によって制御される前記データの送受信を行うデータ通信手段と、を内蔵していることを特徴とするバッテリパック。
（２）前記データ記憶手段は、前記電子機器で処理されたデータと共に  バッテリパックの電力容量に関する情報を記憶することを特徴とする（１）に記載のバッテリパック。
（３）前記データ通信手段は、前記通信端子を介してバッテリパックの電力容量に関する情報を送信することを特徴とする（１）に記載のバッテリパック。
【００１１】
（４）電子機器で処理されたデータを記憶するデータ記憶手段を備えたバッテリパックを充電することができる充電器であって、前記バッテリパックと接続して充電するための接続端子と、前記バッテリパックと接続してデータ通信するための通信端子とを有し、前記通信端子を介して前記バッテリパックとの間で前記データの送受信を行うデータ通信手段と、前記データ通信手段を介して前記バッテリパックのデータ記憶手段に対する前記データの読み出し処理、書き込み処理、削除処理、複製処理を指示する制御信号を送出するデータ操作手段と、前記データ通信手段を介して取得した前記データを再生することができるデータ再生手段と、を備えていることを特徴とする充電器。
【００１２】
（５）電子機器で処理されたデータを記憶するデータ記憶手段を備えたバッテリパックを充電することができる充電器であって、前記バッテリパックと接続して充電するための接続端子と、前記バッテリパックと接続してデータ通信するための通信端子とを有し、前記通信端子を介して前記バッテリパックとの間で前記データの送受信を行うデータ通信手段と、  前記データ通信手段を介して前記バッテリパックのデータ記憶手段に対する前記データの読み出し処理、書き込み処理、削除処理、複製処理を指示する制御信号を送出するデータ操作手段と、  前記データ通信手段で介して取得した前記データを出力するためのデータ出力手段と、を備えていることを特徴とする充電器。
【００１３】
（６）電子機器で処理されたデータを記憶するデータ記憶手段を備えたバッテリパックを充電することができる充電器であって、前記バッテリパックと接続して充電をするための接続端子と、前記バッテリパックと接続してデータ通信するための第１の通信端子と、前記バッテリパックのデータ記憶手段に対する前記データの読み出し処理、書き込み処理、削除処理、複製処理を制御することができる情報処理装置と接続してデータ通信するための第２の通信端子と、前記第１の通信端子を介して前記バッテリパックと前記データを送受信する第１の通信手段と、前記第２の通信端子を介して前記データを送受信する第２の通信手段と、  前記第１及び第２の通信手段を介して前記バッテリパックと前記情報処理装置との間における前記データの送受信を制御するデータ操作制御手段と、を備えていることを特徴とする充電器。
【００１４】
上述したように、バッテリパックは、データ記憶手段と、データ制御手段と、データ通信手段とを内蔵した構成であり、このバッテリパックを電子機器や充電器に装着しするとデータ通信手段によって電子機器や充電器との間のデータ通信を行い、データ記憶手段に対するデータの読み出し処理、書き込み処理、削除処理、複製処理を電子機器又は充電器からの制御信号に基づいてデータ制御手段が制御するので、電子機器や充電器にバッテリパックを装着した状態でデータの操作を行うことができる。
【００１５】
一方、充電器は、データ通信手段によってバッテリパックとの間のデータ通信を行い、データ操作手段がデータ通信手段を介してバッテリパックのデータ記憶手段に対するデータの読み出し処理、書き込み処理、削除処理、複製処理を指示する制御信号を送出することで、バッテリパックのデータ記憶手段に対するデータの操作を行い、データ通信手段を介して取得したデータをデータ再生手段で再生したり、データ出力手段によって出力して他の機器で再生することができる。
【００１６】
また、充電器は、バッテリパックと接続してデータの送受信を行うための第１の通信端子及び第１の通信回路と、バッテリパックのデータ記憶手段に対するデータの読み出し処理、書き込み処理、削除処理、複製処理を制御することができる情報処理装置と接続してデータの送受信を行うための第２の通信端子及び第２の通信手段とを設け、第１及び第２の通信手段を介してバッテリパックと情報処理装置との間におけるデータの送受信を制御するデータ操作制御手段と、備えた構成とすることで、充電器に接続した情報処理装置からバッテリパックのデータ記憶手段に対するデータの操作を行うことができる。
【００１７】
【発明の実施の形態】
次に、本発明に係るバッテリパック及び充電器による実施の形態について図面を参照して説明する。但し、図面は専ら解説のためのものであって、本発明の技術的範囲を限定するものではない。
【００１８】
図１は、バッテリパック１０の外観を示したものであり、電子機器と接続して電力を供給し、又、充電器（図示せず）と接続して充電するための＋端子１１及び−端子１２と、電子機器との間でデータ通信するための通信端子１３を有している。
【００１９】
図２は、図１で示したバッテリパック１０の内部構成を簡略化して示したブロック図であり、バッテリセル１１０、充放電制御回路１２０、マイクロコンピュータ１３０、メモリ１４０、通信回路１５０、電流検出回路１６０、充放電制御スイッチ１７０、発振回路１８０、サーミスタ１８５などから構成されている。
【００２０】
バッテリセル１１０は、充放電制御スイッチ１７０に従い、＋端子１１及び−端子１２を介して充電器から充電し、装着される電子機器やバッテリパック１０内の各部に電力を供給する。
【００２１】
充放電制御回路１２０は、充放電制御スイッチ１７０を制御したり、電流検出回路１６０で検出した電流値やバッテリセル１１０の電力容量に関する情報など（以下、バッテリセル情報という）を収集してマイクロコンピュータ１３０に送出する。
【００２２】
マイクロコンピュータ１３０は、発振回路１８０のタイミング信号に基づいて動作し、制御プログラムや通信回路１５０を介して送られてくる電子機器からの操作制御信号などに従って、メモリ１４０に対するデータの読み出し／書き込み操作の制御や通信回路１５０の制御を行う。
【００２３】
メモリ１４０は、マイクロコンピュータ１３０の制御に従い、電子機器との間において送受信されるデータを記憶領域に書き込んで記憶したり、記憶領域に記憶してあるデータを読み出したり、削除（消去）する。
【００２４】
また、メモリ１４０の所定のメモリ領域には、データ記録できるバッテリパックであることを示すフラグ情報（以下、バッテリ種別情報という）が記録されており、電子機器や充電器でこのバッテリ種別情報を検出することで「データ記録対応型」のバッテリパックであるか否かを判別する。
【００２５】
また、メモリ１４０には、記憶領域に対するデータの書き込みを許可する「書込許可モード」と許可しない「書込禁止モード」の２つのモード（以下、書込モードという）が設定され、更に、所定のメモリ領域にはデータの書き込み、書き換え、削除（消去）のうち、どの操作を許可するか示すフラグ情報（以下、操作許可情報という）を設定できる構成とすることで、データの書き換えを制御することができる。
【００２６】
この操作許可情報は、電子機器からソフトウェアで設定することも可能であり、バッテリパックにスイッチを設け、このスイッチを切り換えることにより設定できる構成にしてもよい。
【００２７】
なお、メモリ１４０は、バッテリ種別情報や操作許可情報と共に、バッテリセル情報を読み出し／書き込みできる構成にすることで、バッテリパック内に必要なメモリ領域を共有化することが可能となる。
【００２８】
なお、メモリ１４０は、バッテリセル１１０から電力を供給する構成にすることで、記憶容量の大きなメモリを内蔵することが可能となる。
【００２９】
通信回路１５０は、マイクロコンピュータ１３０の制御に従い、通信端子１３を介して電子機器との間のデータ通信処理を行い、メモリ１４０に記憶されているデータやバッテリセル情報を電子機器や充電器へ送出したり、電子機器や充電器から送られてくるデータを受信してマイクロコンピュータ１３０へ転送する。
【００３０】
なお、データを送受信する通信端子１３を、従来のバッテリパックにおいてバッテリセル情報を送出するために使用している通信端子と兼用する構成にすることで、従来のバッテリパックを使用している電子機器でも本バッテリパックを使用することができる。
【００３１】
電流検出回路１６０は、バッテリセル１１０に印加される電流値を検出し、検出した電流値を充放電制御回路１２０に送る。
【００３２】
充放電制御スイッチ１７０は、充放電制御回路１２０の制御に従い、充電ＳＷ（スイッチ）及び放電ＳＷ（スイッチ）によってバッテリセル１１０の充電／放電を切り換える。
【００３３】
発振回路１８０は、バッテリパックにおける処理・制御動作の基準となるタイミング信号を生成してマイクロコンピュータ１３０に供給する。
【００３４】
サーミスタ１８５は、バッテリパック内部の温度を検出し、検出した内部温度データをマイクロコンピュータ１３０に送る。
【００３５】
次に、図１で示したバッテリパック１０を電子機器に接続したときの構成について説明する。図３は、一例として、バッテリパック１０を撮像機器２０（電子機器）に接続したときの構成を簡略化して示したブロック図である。
【００３６】
バッテリパック１０は、図２と同じ構成であるので説明を省略する。なお、充放電制御スイッチ１７０、発振回路１８０、サーミスタ１８５の記載は省略している。
【００３７】
電子機器である撮像機器２０は、電源回路２１０と、電源回路２１０により供給される電力で動作するメイン回路２２０から構成され、メイン回路２２０は、撮像部２２１、信号処理部２２２、マイコン２２３、メモリ２２４、操作部２２５、表示部２２６、通信回路２３０等から構成されている。
【００３８】
電源回路２１０は、バッテリパック１０などの電源から得られる電力を＋端子２１及び−端子２２を介してメイン回路２２０などに供給する。
【００３９】
メイン回路２２０の撮像部２２１は、マイコン２２３の制御に従い、撮影する被写体からの光を取り込んで映像信号に変換して信号処理部２２２に送る。
【００４０】
メイン回路２２０の信号処理部２２２は、マイコン２２３の制御に従い、撮像部２２１から送られてくる映像信号に対して補正処理（ホワイトバランス、階調、輝度、色などの補正処理）など所定の信号処理を行い、表示部２２６などに送出する。
【００４１】
メイン回路２２０のマイコン２２３は、制御プログラムや操作部２２５を介して送られてくるユーザからの操作情報に基づいて、メイン回路内各部の制御を行う。
【００４２】
また、マイコン２２３は、通信回路２３０を介してバッテリパック１０のメモリ１４０に記録されているバッテリ種別情報を取得し、バッテリパック１０が「データ記録対応型」であるか否かを判別したり、バッテリパック１０のメモリ１４０に設定されているモード情報や書込許可情報を取得して、メモリ１４０の状態を判別する。
【００４３】
メイン回路２２０のメモリ２２４は、マイコン２２３の制御に従い、操作部２２５を介して設定された設定情報、通信回路２３０を介して取得した設定情報やバッテリセル情報などを記憶領域に記憶・保存したり、記憶領域に記憶してあるデータを読み出してマイコン２２３に送る。
【００４４】
メイン回路２２０の操作部２２５は、機器への動作指示などの操作情報をマイコン２２３に送る。
【００４５】
メイン回路２２０の表示部２２６は、マイコン２２３の制御に従い、信号処理部２２２からの映像信号やマイコン２２３からのデータを液晶画面やＥＶＦ（Ｅｌｅｃｔｒｏｎｉｃ  Ｖｉｅｗ  Ｆｉｎｄｅｒ）などに表示する。
【００４６】
メイン回路２２０の通信回路２３０は、マイコン２２３の制御に従い、通信端子２３を介してバッテリパック１０との間のデータ通信処理を行い、メモリ２２４に記憶されている設定情報や撮像部２２１によって撮影した映像信号（や音響信号）などのデータをバッテリパック１０へ送出したり、バッテリパック１０から送られてくるデータやバッテリセル情報などを受信してマイコン２２３へ転送する。
【００４７】
続いて、上述した図２のバッテリパック１０を充電する充電器について説明する。
【００４８】
図４は、充電器３０Ａにバッテリパック１０を接続した状態の外観図であり、充電器３０Ａは、バッテリパック１０のメモリ１４０に記憶してあるデータを操作するためのメモリ操作部３３３ａと、バッテリパック１０に関する情報（バッテリセル情報など）を表示するバッテリ情報表示部３３４ａと、バッテリパック１０のメモリ１４０に記憶してあるデータを再生／表示するデータ再生／表示部３３４ｂを備えている。
【００４９】
図５は、図４で示したバッテリパック１０及び充電器３０Ａの内部構成を簡略化して示したブロック図である。
【００５０】
バッテリパック１０は、充放電制御スイッチ１７０、発振回路１８０、サーミスタ１８５は省略されており、その他は図２と同じ構成であるので説明を省略する。
【００５１】
充電器３０Ａは、電源回路３１０、充電回路３２０、メイン回路３３０から構成されており、メイン回路３３０は、マイコン３３１、信号処理回路３３２、操作部３３３、再生／表示部３３４、通信回路３４０を備えた構成となっている。
【００５２】
電源回路３１０は、ＡＣ電源から得る電力を変換して充電回路３２０及びメイン回路３３０に供給する。
【００５３】
充電回路３２０は、マイコン３３１の制御に従い、電源回路３１０から供給される電力を＋端子３１及び−端子３２を介してバッテリパック１０に充電する。
【００５４】
メイン回路３３０のマイコン３３１は、制御プログラムや操作部３３３を介して送られてくるユーザからの操作情報に基づいて、充電回路３２０やメイン回路内の各部を制御する。
【００５５】
そして、操作部３３３から送られてくる操作情報に基づき、バッテリパック１０のメモリ１４０に対するデータの読み出し、書き込み、書き換え、削除（消去）などの操作を実行させるための操作制御信号を通信回路３４０に送出し、また、通信回路３４０で受信したバッテリパック１０からのデータを信号処理回路３３２に送る。
【００５６】
メイン回路３３０の信号処理回路３３２は、マイコン３３１の制御に従い、マイコン３３１から送られてくるバッテリパック１０のデータを処理して再生／表示部３３４に送る。
【００５７】
メイン回路３３０の操作部３３３は、メモリ操作部３３３ａの操作に基づいた操作情報、即ち、バッテリパック１０のメモリ１４０に対するデータ操作（データの読み出し、書き込み、書き換え、削除（消去）など）を指示するための操作情報をマイコン３３１に送る。
【００５８】
メイン回路３３０の再生／表示部３３４は、信号処理回路３３２で処理されたバッテリパック１０のデータをバッテリ情報表示部３３４ａやデータ再生／表示部３３４ｂに再生・表示する。
【００５９】
メイン回路３３０の通信回路３４０は、マイコン３３１の制御に従い、通信端子３３を介してバッテリパック１０との間のデータ通信を行う。
【００６０】
次に、別の構成の充電器３０Ｂについて説明する。
【００６１】
図６は、充電器３０Ｂにバッテリパック１０を接続した状態の外観図であり、充電器３０Ｂは、バッテリパック１０のメモリ１４０に記憶してあるデータを操作するためのメモリ操作部３３３ａと、バッテリパック１０に関する情報（バッテリセル情報など）を表示するバッテリ情報表示部３３５ａと、バッテリパック１０のメモリ１４０に内蔵されたデータを出力するための出力端子３４を備えている。
【００６２】
図７は、図６で示したバッテリパック１０及び充電器３０Ｂに再生／表示装置４０を接続したときの内部構成を簡略化して示したブロック図である。
【００６３】
バッテリパック１０は、充放電制御スイッチ１７０、発振回路１８０、サーミスタ１８５は省略されており、その他は図２と同じ構成であるので説明を省略する。
【００６４】
充電器３０Ｂは、電源回路３１０、充電回路３２０、メイン回路３３０から構成されており、メイン回路３３０は、マイコン３３１、信号処理回路３３２、操作部３３３、表示部３３５、データ出力回路３３６、通信回路３４０を備えた構成となっている。
【００６５】
電源回路３１０は、ＡＣ電源から得る電力を変換して充電回路３２０及びメイン回路３３０に供給する。
【００６６】
充電回路３２０は、マイコン３３１の制御に従い、電源回路３１０から供給される電力を＋端子３１及び−端子３２を介してバッテリパック１０に充電する。
【００６７】
メイン回路３３０のマイコン３３１は、制御プログラムや操作部３３３を介して送られてくるユーザからの操作情報に基づいて、充電回路３２０やメイン回路内の各部を制御する。
【００６８】
そして、操作部３３３から送られてくる操作情報に基づき、バッテリパック１０のメモリ１４０に対するデータの読み出し、書き込み、書き換え、削除（消去）などの操作を実行させるための操作制御信号を通信回路３４０に送出し、また、通信回路３４０で受信したバッテリパック１０からのデータを信号処理回路３３２に送る。
【００６９】
メイン回路３３０の信号処理回路３３２は、マイコン３３１の制御に従い、マイコン３３１から送られてくるバッテリパック１０のデータを処理してデータ出力回路３３６に送る。また、マイコン３３１から送られてくるデータのうち、バッテリパック１０に関する情報（バッテリセル情報など）を表示部３３５に送る。
【００７０】
メイン回路３３０の操作部３３３は、メモリ操作部３３３ａの操作に基づいた操作情報、即ち、バッテリパック１０のメモリ１４０に対するデータ操作（データの読み出し、書き込み、書き換え、削除（消去）など）を指示するための操作情報をマイコン３３１に送る。
【００７１】
メイン回路３３０の表示部３３５は、信号処理回路３３２から送られてくるバッテリパック１０に関する情報（バッテリセル情報など）をバッテリ情報表示部３３５ａに表示させる。
【００７２】
メイン回路３３０のデータ出力部３３６は、信号処理回路３３２から送られてくるデータを処理して所定のデータ形式に変換し、出力端子３４を介して接続されている再生／表示装置４０へ送出する。
【００７３】
メイン回路３３０の通信回路３４０は、マイコン３３１の制御に従い、通信端子３３を介してバッテリパック１０との間のデータ通信を行う。
【００７４】
再生／表示装置４０は、充電器３０Ｂの出力端子３４と接続する入力端子を備え、充電器３０Ｂの出力端子３４を介して送られてくるデータ（例えば、映像信号や音響信号など）を再生したり、表示することのできる装置である。
【００７５】
更に、別の構成の充電器３０Ｃについて説明する。
【００７６】
図８は、充電器３０Ｃにバッテリパック１０をセットした状態の外観図であり、充電器３０Ｃは、バッテリパック１０に関する情報（バッテリセル情報など）を表示するバッテリ情報表示部３３５ａと、バッテリパック１０のメモリ１４０に記憶してあるデータを操作することが可能な情報処理装置５０を接続してデータ通信することができる外部通信端子３５を備えている。
【００７７】
図９は、図８で示したバッテリパック１０及び充電器３０Ｃに情報処理装置５０を接続したときの内部構成を簡略化して示したブロック図である。
【００７８】
バッテリパック１０は、充放電制御スイッチ１７０、発振回路１８０、サーミスタ１８５は省略されており、その他は図２と同じ構成であるので説明を省略する。
【００７９】
充電器３０Ｃは、電源回路３１０、充電回路３２０、メイン回路３３０から構成されており、メイン回路３３０は、マイコン３３１、表示部３３５、通信回路３４０、外部通信回路３５０を備えた構成となっている。
【００８０】
電源回路３１０は、ＡＣ電源から得る電力を変換して充電回路３２０及びメイン回路３３０に供給する。
【００８１】
充電回路３２０は、マイコン３３１の制御に従い、電源回路３１０から供給される電力を＋端子３１及び−端子３２を介してバッテリパック１０に充電する。
【００８２】
メイン回路３３０のマイコン３３１は、制御プログラムや外部通信回路３５０を介して送られてくる情報処理装置５０からの操作情報に基づいて、充電回路３２０やメイン回路内の各部を制御する。
【００８３】
そして、外部通信回路３５０で受信した情報処理装置５０からの操作情報に基づき、バッテリパック１０のメモリ１４０に対するデータの読み出し、書き込み、書き換え、削除（消去）などの操作を実行させるための操作制御信号を通信回路３４０に送出し、また、通信回路３４０で受信したバッテリパック１０のデータを外部通信回路３５０に送る。
【００８４】
また、通信回路３４０で受信したデータのうち、バッテリパック１０に関する情報（バッテリセル情報など）を表示部３３５に送る。
【００８５】
メイン回路３３０の表示部３３５は、マイコン３３１から送られてくるバッテリパック１０に関する情報（バッテリセル情報など）をバッテリ情報表示部３３５ａに表示させる。
【００８６】
メイン回路３３０の通信回路３４０は、マイコン３３１の制御に従い、通信端子３３を介してバッテリパック１０との間のデータ通信を行う。
【００８７】
メイン回路３３０の外部通信回路３５０は、外部通信端子３５を介して送られてくる情報処理装置５０からの操作情報などを受信してマイコン３３１に転送し、また、マイコン３３１から送られてくるバッテリパック１０のデータを情報処理装置５０などへ送出する。
【００８８】
情報処理装置５０は、例えば、パーソナルコンピュータ（以下、ＰＣという）などの電子機器であり、マイコン、操作部、充電器３０Ｃの外部通信端子３５と接続する通信端子及び外部通信回路などから構成され、充電器３０Ｃの外部通信端子と接続し、充電器３０Ｃとの間でデータ通信を行い、バッテリパック１０のメモリ１４０に対する操作信号（データの書き込み、読み出し、削除（消去）など）を充電器３０Ｃに送り、充電器３０Ｃの制御によって得たバッテリパック１０のデータを再生・表示したり、又、他の機器へ出力することができる装置である。
【００８９】
続いて、上述したバッテリパックを装着した電子機器で処理したデータをバッテリパックのメモリに記憶し、バッテリに記憶してあるデータを充電器にセットして再生・表示するまでの動作過程を説明する。
【００９０】
まず、バッテリパック１０を撮像機器２０（電子機器）に装着したとき、バッテリパックの種別や内蔵しているメモリの設定状態などを検出するときの動作について図１０のフローチャートを参照しながら説明する。なお、図１１の太線及び太枠で示した部分がこのときのデータ通信経路を示したものである。
【００９１】
撮像機器２０にバッテリパック１０を装着すると、バッテリパック１０の＋端子１１／−端子１２及び通信端子１３と撮像機器２０の＋端子２１／−端子２２及び通信端子２３が接続され、バッテリパック１０に蓄積されている電力が電子機器２０に供給される（ＳＴ１００）。
【００９２】
撮像機器２０の電源をオンにすると、バッテリパック１０の通信回路１５０と撮像機器２０の通信回路２３０は、それぞれ通信端子１３、通信端子２３を介してデータ通信を開始する（ＳＴ１０１）。
【００９３】
そして、バッテリパック１０のマイクロコンピュータ１３０は、撮像機器２０とのデータ通信が開始されると、メモリ１４０に設定されているバッテリ種別情報を読み出して撮像機器２０に送出する。
【００９４】
また、バッテリパック１０のマイクロコンピュータ１３０は、バッテリ種別情報を送出すると共に、充放電制御回路１２０で収集したバッテリセル情報を撮像機器２０へ送出する。なお、バッテリセル情報は、バッテリ種別情報と同じく通信回路１５０により通信端子１３を介して送出される。
【００９５】
撮像機器２０のマイコン２２３は、バッテリパック１０から送られてくるバッテリ種別情報及びバッテリセル情報を受信すると、このバッテリ種別情報からバッテリパックが「データ記録対応型」であるか否かを判別する（ＳＴ１０２）。
【００９６】
撮像機器２０のマイコン２２３は、バッテリ種別情報が「データ記録対応型」でない場合、従来のバッテリパック同様に、バッテリセル情報に基づいてバッテリ容量や動作可能時間などを表示部２２６に表示する（ＳＴ１０２→ＳＴ１０８→終了）。
【００９７】
撮像機器２０のマイコン２２３は、バッテリ種別情報が「データ記録対応型」である場合、例えば、図１２に示すように「データ記録対応型」のバッテリパックであることを示すアイコン２２６ａを、バッテリ残量時間、記録時間、現在時間などとともに表示部２２６に表示する（ＳＴ１０３）。
【００９８】
バッテリパック１０は、撮像機器２０にバッテリ種別情報及びバッテリセル情報を送出すると、撮像機器２０からのデータを記録するための「データ記録モード」となり、また、メモリ１４０に設定されている書込モードの状態を示すモード情報を撮像機器２０へ送出する（ＳＴ１０４）。
【００９９】
撮像機器２０のマイコン２２３は、バッテリパック１０から送られてくるモード情報を受信すると、このモード情報に基づいて、バッテリパック１０のメモリ１４０に設定されている書込モードの検出を行う（ＳＴ１０５）。
【０１００】
撮像機器２０のマイコン２２３は、バッテリパック１０のメモリ１４０が「書込禁止モード」に設定してあることを検出すると、図１２（ａ）に示すように”書込禁止”であることを表示部２２６に表示する（ＳＴ１０５→ＳＴ１０７→ＳＴ１０９）。
【０１０１】
撮像機器２０のマイコン２２３は、バッテリパック１０のメモリ１４０が「書込許可モード」に設定してあることを検出すると、続いて、バッテリパック１０のメモリ１４０の記憶容量情報（空き容量又は使用容量）を要求する信号を送出する（ＳＴ１０５→ＳＴ１０６）。
【０１０２】
バッテリパック１０のマイクロコンピュータ１３０は、撮像機器２０から送られてくる記憶容量情報の送出要求信号を受信すると、メモリ１４０の記憶容量情報（空き容量又は使用容量）を生成して撮像機器２０へ送出する（ＳＴ１０６）。
【０１０３】
撮像機器２０のマイコン２２３は、バッテリパック１０から送られてくるメモリ１４０の記憶容量情報（空き容量又は使用容量）を受信すると、図１２（ｂ）に示すように受信した記憶容量情報（空き容量又は使用容量）を表示部２２６（ＥＶＦや液晶画面）に表示する（ＳＴ１０６→ＳＴ１０９）。
【０１０４】
次に、電子機器に装着したバッテリパックのメモリに対して電子機器で処理したデータを書き込む（記録する）ときの動作について図１３のフローチャートを参照しながら説明する。
【０１０５】
なお、ここでは、電子機器である撮像機器２０で撮影した画像データをバッテリパック１０のメモリ１４０に書き込む（記録する）ときの動作を例にして説明する。図１４の太線及び太枠で示した部分がこのときのデータ通信経路を示したものである。
【０１０６】
撮像機器２０で撮影した画像データをバッテリパック１０のメモリ１４０に記録する場合、まず、撮像機器２０通信回路２３０とバッテリパック１０の通信回路１５０との間でデータ通信を開始する（ＳＴ２００）。
【０１０７】
そして、撮像機器２０のマイコン２２３は、バッテリパック１０が「データ記録モード」であるか否かを判別する（ＳＴ２０１）。
【０１０８】
撮像機器２０のマイコン２２３は、バッテリパック１０が「データ記録モード」である場合、続いて、バッテリパック１０に対してメモリ１４０に設定されているモード情報を要求する信号を送出する。
【０１０９】
バッテリパック１０のマイクロコンピュータ１３０は、撮像機器２０から送られてくるモード情報の送出要求信号を受信すると、メモリ１４０に設定されているモード情報を撮像機器２０へ送出する（ＳＴ２０１→ＳＴ２０５）。
【０１１０】
一方、バッテリパック１０が「データ記録モード」でない場合、撮像機器２０のマイコン２２３は、バッテリパック１０に対してバッテリ種別情報を要求する信号を送出する。
【０１１１】
バッテリパック１０のマイクロコンピュータ１３０は、撮像機器２０から送られてくるバッテリ種別情報の送出要求信号を受信すると、メモリ１４０の所定の記憶領域に設定されているバッテリ種別情報を読み出して撮像機器２０へ送出する（ＳＴ２０１→ＳＴ２０２）。
【０１１２】
撮像機器２０のマイコン２２３は、バッテリパック１０のバッテリ種別情報を受信すると、バッテリパック１０が「データ記録対応型」であるか否かを判別する（ＳＴ２０２）。
【０１１３】
「データ記録対応型」である場合、バッテリパック１０は「データ記録モード」となっており、撮像機器２０は、表示部２２６に、例えば、図１２に示すような「データ記録対応型」のバッテリパックであることを示すアイコン２２６ａを表示する（ＳＴ２０２→ＳＴ２０３、ＳＴ２０４）。
【０１１４】
そして、撮像機器２０のマイコン２２３は、バッテリパック１０に対してメモリ１４０に設定されているモード情報を要求する信号を送出する。
【０１１５】
バッテリパック１０のマイクロコンピュータ１３０は、撮像機器２０から送られてくるモード情報の送出要求信号を受信すると、メモリ１４０に設定されているモード情報を撮像機器２０へ送出する（ＳＴ２０４→ＳＴ２０５）。
【０１１６】
このように撮像機器２０のマイコン２２３では、バッテリパック１０から送られてくるモード情報を受信すると、受信したモード情報に基づいてバッテリパック１０のメモリ１４０に設定されている書込モードの検出を行う（ＳＴ２０５）。
【０１１７】
撮像機器２０のマイコン２２３は、バッテリパック１０のメモリ１４０が「書込許可モード」であることを検出すると、次に、バッテリパック１０に対して操作許可情報を要求する信号を送出する（ＳＴ２０５→ＳＴ２０６）。
【０１１８】
バッテリパック１０のマイクロコンピュータ１３０は、撮像機器２０から送られてくる操作許可情報の送出要求信号を受信すると、メモリ１４０の所定の記憶領域に設定されている操作許可情報を読み出して撮像機器２０へ送出する。
【０１１９】
撮像機器２０のマイコン２２３は、バッテリパック１０から送られてくる操作許可情報を受信すると、この操作許可情報に基づき、メモリ１４０に対して書き込み操作が許可されているか否かを判別する（ＳＴ２０７）。
【０１２０】
撮像機器２０のマイコン２２３は、メモリ１４０に対するデータの書き込みが許可されている場合、データ（画像データ）の記録開始信号の検出状態となる（ＳＴ２０７→ＳＴ２０８）。
【０１２１】
そして、撮像機器２０のマイコン２２３が記録開始信号を検出すると、撮像部２２１で撮影し、信号処理回路２２２で処理されたデータ（画像データ）を通信回路２３０によってバッテリパック１０へ送出する。
【０１２２】
バッテリパック１０では、マイクロコンピュータ１３０の制御に従い、通信回路１５０で受信した撮像機器２０からのデータ（画像データ）をメモリ１４０の記憶領域に記録する（ＳＴ２０８→ＳＴ２０９）。
【０１２３】
一方、撮像機器２０のマイコン２２３は、バッテリパック１０から送られてきたモード情報によってバッテリパック１０のメモリ１４０が「書込禁止モード」であることを検出した場合、図１２（ａ）のように”書込禁止”であることを表示部２２６に表示する（ＳＴ２０５→ＳＴ２１０、ＳＴ２１１）。
【０１２４】
また、これと同様に、バッテリパック１０から送られてきた操作許可情報によってメモリ１４０に対するデータ書き込みが許可されていない場合にも、図１２（ａ）のように”書込禁止”であることを表示部２２６に表示する（ＳＴ２０７→ＳＴ２１０、ＳＴ２１１）。
【０１２５】
そして、撮像機器２０のマイコン２２３は、表示部２２６に対する「書込禁止」の表示に続いて、機器内に他の記録媒体がセットされているか否かを検出する（ＳＴ２１１→ＳＴ２１２）。
【０１２６】
機器内に記録可能な他の記録媒体がセットされている場合、撮像機器２０のマイコン２２３は、この記録媒体への記録開始信号の検出状態となり、記録開始信号を検出すると、撮像部２２１で撮影し、信号処理回路２２２で処理されたデータ（画像データ）をこの記録媒体に記録する（ＳＴ２１２→ＳＴ２１３、ＳＴ２１４）。
【０１２７】
機器内に記録可能な他の記録媒体がない場合、撮像機器２０のマイコン２２３は、表示部２２６に「記録不可」の警告を表示する（ＳＴ２１２→ＳＴ２１５）。
【０１２８】
また、撮像機器２０のマイコン２２３は、バッテリパック１０が「データ記録対応型」でない場合も上述と同様に、機器内に他の記録媒体がセットされているか否かを検出する（ＳＴ２０２→ＳＴ２１２）。
【０１２９】
そして、機器内に記録可能な他の記録媒体がセットされている場合、撮像機器２０のマイコン２２３は、この記録媒体への記録開始信号の検出状態となり、記録開始信号を検出すると、撮像部２２１で撮影し、信号処理回路２２２で処理されたデータ（画像データ）をこの記録媒体に記録する（ＳＴ２１２→ＳＴ２１３、ＳＴ２１４）。
【０１３０】
機器内に記録可能な他の記録媒体がない場合、撮像機器２０のマイコン２２３は、表示部２２６（ＥＶＦや液晶画面）に「記録不可」の警告を表示する（ＳＴ２１２→ＳＴ２１５）。
【０１３１】
続いて、バッテリパック１０を充電器３０にセットしたとき、バッテリパックの種別や内蔵しているメモリの設定状態などを検出するときの動作について図１５のフローチャートを参照しながら説明する。
【０１３２】
なお、図１６の太線及び太枠で示した部分がこのときのデータ通信経路を示したものであり、充電器は、図４、５で示した充電器３０Ａを例にして説明する。
【０１３３】
充電器３０Ａにバッテリパック１０をセットすると、バッテリパック１０の＋端子１１／−端子１２／通信端子１３と充電器３０Ａの＋端子３１／−端子３２／通信端子３３が接続される（ＳＴ３００）。
【０１３４】
充電器３０Ａは、バッテリパック１０がセットされると、充電回路３２０により、＋端子３１／−端子３２を介して接続されたバッテリパック１０のバッテリセル１１０に充電を開始する（ＳＴ３０１）。
【０１３５】
そして、充電器３０Ａのマイコン３３１は、充電回路３２０を介してバッテリパック１０のバッテリセル１１０の電圧が規定値以上であるか否かを検出する（ＳＴ３０２）。
【０１３６】
バッテリセル１１０の電圧が規定値未満である場合、電圧が規定値になるまで充電を継続する（ＳＴ３０２→ＳＴ３０１→ＳＴ３０２→・・・）。
【０１３７】
バッテリセル１１０の電圧が規定値以上である場合、通信回路３４０を制御し、バッテリパック１０の通信回路１５０とデータ通信が可能であるか否かを判定する（ＳＴ３０２→ＳＴ３０３）。
【０１３８】
充電器３０Ａのマイコン３３１は、データ通信ができないと判定すると、所定回数のリトライを行ってデータ通信可能か否かを再確認する（ＳＴ３０３→ＳＴ３１１→ＳＴ３０３→ＳＴ３１１→・・・）
【０１３９】
そして、所定回数のリトライを行ってもバッテリパック１０の通信回路１５０とデータ通信ができない場合、バッテリパック１０に対する充電動作のみを行う（ＳＴ３１１→ＳＴ１２→終了）。
【０１４０】
一方、充電器３０Ａのマイコン３３１がバッテリパック１０の通信回路１５０とデータ通信可能であると判定すると、バッテリパック１０のマイクロコンピュータ１３０では、メモリ１４０に設定されているバッテリ種別情報を読み出し、読み出したバッテリ種別情報を充電器３０Ａへ送出する。
【０１４１】
また、バッテリパック１０のマイクロコンピュータ１３０は、バッテリ種別情報を送出すると共に、充放電制御回路１２０で収集したバッテリセル情報を充電器３０Ａへ送出する。なお、バッテリセル情報は、バッテリ種別情報と共に通信端子１３を介して送出される。
【０１４２】
充電器３０Ａのマイコン３３１は、通信端子３３を経由して送られてくるバッテリ種別情報及びバッテリセル情報を受信すると、このバッテリ種別情報からバッテリパックが「データ記録対応型」であるか否かを判別する（ＳＴ３０３→ＳＴ３０４）。
【０１４３】
充電器３０Ａのマイコン３３１は、バッテリパック１０が「データ記録対応型」である場合、再生／表示部３３４に、図１７に示すような「データ記録対応型」のバッテリパックであることを示すアイコンや文字表示を行うと共に、バッテリセル情報に基づいたバッテリ充電状態、充電終了時間等の情報を表示する（ＳＴ３０５）。
【０１４４】
バッテリパック１０は、撮像機器２０にバッテリ種別情報及びバッテリセル情報を送出すると、メモリ１４０に対するデータの読み出し、書き込み、書き換え、削除（消去）などのデータ操作を可能とする「データ操作モード」となり、メモリ１４０に設定されているモード情報を撮像機器２０へ送出する（ＳＴ３０６）。
【０１４５】
充電器３０Ａのマイコン３３１は、バッテリパック１０から送られてくるモード情報を受信すると、このモード情報に基づいて、バッテリパック１０のメモリ１４０に設定されている書込モードの検出を行う（ＳＴ３０７）。
【０１４６】
充電器３０Ａのマイコン３３１は、バッテリパック１０のメモリ１４０が「書込許可モード」に設定してあることを検出すると、続いて、バッテリパック１０のメモリ１４０の記憶容量情報（空き容量又は使用容量）を要求する信号を送出する（ＳＴ３０７→ＳＴ３０８）。
【０１４７】
そして、バッテリパック１０のマイクロコンピュータ１３０は、充電器３０Ａから送られてくる記憶容量情報の送出要求信号を受信すると、メモリ１４０の記憶容量情報（空き容量又は使用容量）を生成して充電器３０Ａへ送出する。
【０１４８】
充電器３０Ａのマイコン３３１は、バッテリパック１０から送られてくるメモリ１４０の記憶容量情報（空き容量又は使用容量）を受信すると、例えば、図１７に示すように、受信した記憶容量情報（空き容量又は使用容量）などの情報を再生／表示部３３４に表示する（ＳＴ３０８→ＳＴ３１０）。
【０１４９】
一方、充電器３０Ａのマイコン３３１は、バッテリパック１０のメモリ１４０が「書込禁止モード」に設定してあることを検出すると、バッテリパック１０のメモリ１４０の記憶容量情報（空き容量又は使用容量）を要求する信号を送出する（ＳＴ３０７→ＳＴ３０９）。
【０１５０】
そして、バッテリパック１０のマイクロコンピュータ１３０は、充電器３０Ａから送られてくる記憶容量情報の送出要求信号を受信すると、メモリ１４０の記憶容量情報（空き容量又は使用容量）を生成して充電器３０Ａへ送出する。
【０１５１】
充電器３０Ａのマイコン３３１は、バッテリパック１０から送られてくるメモリ１４０の記憶容量情報（空き容量又は使用容量）を受信すると、例えば、図１７に示すように、”書込禁止”を文字表示するとともに、受信した記憶容量情報（空き容量又は使用容量）や”書込禁止”などの情報を再生／表示部３３４に表示する（ＳＴ３０９→ＳＴ３１０）。
【０１５２】
次に、充電器にセットしたバッテリパック１０のメモリ１４０に対するデータ操作（データの読み出し、書き込み、書き換え、削除（消去）など）を行うときの動作状態について図１８のフローチャートを参照しながら説明する。
【０１５３】
なお、図１９の太線及び太枠で示した部分がこのときのデータ通信経路を示したものであり、充電器は、上述と同様に、図４、５で示した充電器３０Ａを例にして説明する。
【０１５４】
バッテリパック１０のメモリ１４０に対するデータ操作（データの読み出し、書き込み、書き換え、削除（消去）など）を開始すると、まず、充電器３０Ａのマイコン３３１は、通信回路３４０によってバッテリパックの通信回路１５０とデータ通信を行い、バッテリパック１０が「データ記録モード」であるか否かを判別する（ＳＴ４００、ＳＴ４０１）。
【０１５５】
充電器３０Ａのマイコン３３１は、バッテリパック１０が「データ記録モード」である場合、続いて、バッテリパック１０に対してメモリ１４０に設定されているモード情報を要求する信号を送出する。
【０１５６】
バッテリパック１０のマイクロコンピュータ１３０は、充電器３０Ａから送られてくるモード情報の送出要求信号を受信すると、メモリ１４０に設定されているモード情報を撮像機器２０へ送出する（ＳＴ４０１→ＳＴ４０５）。
【０１５７】
一方、バッテリパック１０が「データ記録モード」でない場合、撮像機器２０のマイコン２２３は、バッテリパック１０に対してバッテリ種別情報を要求する信号を送出する。
【０１５８】
そして、バッテリパック１０のマイクロコンピュータ１３０は、充電器３０Ａから送られてくるバッテリ種別情報の送出要求信号を受信すると、メモリ１４０の所定の記憶領域に設定されているバッテリ種別情報を読み出して充電器３０Ａへ送出する（ＳＴ４０１→ＳＴ４０２）。
【０１５９】
充電器３０Ａのマイコン３３１は、バッテリパック１０のバッテリ種別情報を受信すると、バッテリパックが「データ記録対応型」であるか否かを判別する（ＳＴ４０２）。
【０１６０】
「データ記録対応型」である場合、バッテリパック１０は、「データ記録モード」となっており、充電器３０Ａは、再生／表示部３３４に、例えば、図１７に示すような「データ記録対応型」のバッテリパックであることを示すアイコンなどを表示する（ＳＴ４０２→ＳＴ４０３、ＳＴ４０４）。
【０１６１】
そして、充電器３０Ａのマイコン３３１は、バッテリパック１０に対してメモリ１４０に設定されているモード情報を要求する信号を送出する。
【０１６２】
バッテリパック１０のマイクロコンピュータ１３０は、充電器３０Ａから送られてくるモード情報の送出要求信号に応じて、メモリ１４０に設定されているモード情報を充電器３０Ａへ送出する（ＳＴ４０４→ＳＴ４０５）。
【０１６３】
このように充電器３０Ａのマイコン３３１では、バッテリパック１０から送られてくるモード情報を受信すると、受信したモード情報に基づき、バッテリパック１０のメモリ１４０に設定されている書込モードの検出を行う（ＳＴ４０５）。
【０１６４】
充電器３０Ａのマイコン３３１は、バッテリパック１０のメモリ１４０が「書込許可モード」であることを検出すると、次に、バッテリパック１０に対して操作許可情報を要求する信号を送出する（ＳＴ４０５→ＳＴ４０６）。
【０１６５】
バッテリパック１０のマイクロコンピュータ１３０は、充電器３０Ａから送られてくる操作許可情報の送出要求信号を受信すると、メモリ１４０の所定の記憶領域に設定されている操作許可情報を読み出して充電器３０Ａへ送出する（ＳＴ４０６）。
【０１６６】
充電器３０Ａのマイコン３３１は、バッテリパック１０から送られてくる操作許可情報を受信すると、この操作許可情報に基づき、メモリ１４０に対するデータの操作（データの書き込み、書き換え、削除（消去）など）が許可されているのかを判別する（ＳＴ４０７）。
【０１６７】
充電器３０Ａのマイコン３３１は、メモリ１４０に対するデータの操作（データの書き込み、書き換え、削除（消去）など）が許可されている場合、メモリ操作部３３３ａによって、バッテリパック１０のメモリ１４０に対する所望のデータ操作（読み出し、書き込み、書き換え、削除（消去）、コピーなど）を選択する（ＳＴ４０８）。
【０１６８】
そして、充電器３０Ａのマイコン３３１は、メモリ操作部３３３ａによって選択されたデータ操作（読み出し、書き込み、書き換え、削除（消去）、コピーなど）に応じた操作制御信号を通信回路３４０によってバッテリパック１０に送出する。
【０１６９】
バッテリパック１０のマイクロコンピュータ１３０は、充電器３０Ａから送られてくる操作制御信号を受信すると、メモリ１４０の記憶領域に記憶してあるデータを読み出して充電器３０Ａに送出したり、充電器３０Ａから送られてくるデータを記憶領域に書き込んだり、記憶領域に記憶してあるデータを書き換えたり、削除（消去）したり、コピーしたりする（ＳＴ４０９）。
【０１７０】
一方、充電器３０Ａのマイコン３３１は、バッテリパック１０から送られてくるモード情報によってバッテリパック１０のメモリ１４０が「書込禁止モード」であることを検出した場合、例えば、図１７のように”書込禁止”であることを再生／表示部２２６を介して再生／表示部２２６ａに表示するとともに、メモリ１４０をデータの読み出し操作のみを可能な状態とする（ＳＴ４０５→ＳＴ４１０→ＳＴ４１１）。
【０１７１】
また、これと同様に、バッテリパック１０から送られてきた操作許可情報によってメモリ１４０に対するデータの操作が許可されていない場合、言い換えると、データの読み出ししか行うことができない場合にも、図１７のように”書込禁止”（又は”操作禁止”）であることを再生／表示部２２６を介して再生／表示部２２６ａに表示するとともに、メモリ１４０をデータの読み出し操作のみを可能な状態とする（ＳＴ４０７→ＳＴ４１０→ＳＴ４１１）。
【０１７２】
そして、充電器３０Ａでは、メモリ操作部３３３ａによってバッテリパック１０のメモリ１４０からデータの読み出し操作のみを実行することができ、所定の読み出し操作を実行すると、マイコン３３１が読み出し操作に応じた操作制御信号を通信回路３４０によってバッテリパック１０に送出する（ＳＴ４１１→ＳＴ４０９）。
【０１７３】
バッテリパック１０のマイクロコンピュータ１３０は、充電器３０Ａから送られてくる操作制御信号（読み出し操作）を受信すると、メモリ１４０の記憶領域に記憶してあるデータを読み出して充電器３０Ａに送出する。
【０１７４】
充電器３０Ａのマイコン３３１は、バッテリパック１０から送られてくるデータを受信すると、信号処理部３３２などで所定の信号処理を施し、再生／表示部３３４によって信号処理されたデータを再生・表示する。
【０１７５】
続いて、上述した図１８のフローチャートに基づいて行われるデータ操作の一例を具体的に説明する。
【０１７６】
例えば、バッテリパック１０のメモリ１４０に記録された画像データ（撮像機器２０で撮影した画像データ）が記録されており、この画像データを閲覧する場合について説明する。
【０１７７】
まず、バッテリパック１０を充電器３０Ａにセットし、充電器３０Ａのメモリ操作部３３３ａを操作する。例えば、「画像再生キー」を押すと、マイコン３３１は、通信回路３４０によって「画像再生キー」に対応した操作制御信号をバッテリパック１０に送出する。
【０１７８】
バッテリパック１０は、充電器３０Ａから送られてくる操作制御信号を通信回路１５０で受信すると、マイクロコンピュータ１３０が受信した操作制御信号に基づいてメモリ１４０に記録されている画像データの中から所望の画像データを選択するための画像選択データ（画像選択メニュー）を生成し、充電器３０Ａに送出する。
【０１７９】
充電器３０Ａは、バッテリパック１０から送られてくる画像選択データを通信回路３４０で受信すると、マイコン３３１の制御に従い、受信した画像選択データ（画像選択メニュー）を再生／表示部３３４を介してデータ再生／表示部３３４ｂに表示する。
【０１８０】
ユーザは、メモリ操作部３３３ａを操作し、データ再生／表示部３３４ｂに表示された画像選択データ（画像選択メニュー）の中から閲覧したい画像の画像選択データを指定する。
【０１８１】
充電器３０Ａのマイコン３３１は、指定された画像選択データを通信回路３４０によってバッテリパック１０に送出する。
【０１８２】
バッテリパック１０のマイクロコンピュータ１３０は、充電器３０Ａから送られてくる画像選択データを通信回路１５０で受信すると、受信した画像選択データに基づいてメモリ１４０に記録されている画像データの中から所定の画像データを読み出し、読み出した画像データを充電器３０Ａに送出する。
【０１８３】
充電器３０Ａのマイコン３３１は、バッテリパック１０から送られてくる画像データを通信回路３４０で受信すると、受信した画像データを信号処理回路３３２に送り、信号処理回路３３２で所定の信号処理が施して再生／表示部３３４に送り、再生／表示部３３４で信号処理された画像データが再生され、再生された画像データがデータ再生／表示部３３４ｂに再生・表示される。
【０１８４】
また、上述と同様に、バッテリパック１０のメモリ１４０に記録された画像データ（撮像機器２０で撮影した画像データ）を図６、７で示した出力端子３４を有する充電器３０Ｂで閲覧する場合について説明する。なお、充電器３０Ｂのときは、図２０の太線及び太枠で示した部分がデータ通信経路となる。
【０１８５】
充電器３０Ｂの場合、バッテリパック１０から送られてくる画像データを信号処理回路３３２で信号処理するまでの過程は上述した充電器３０Ａと同様である。
【０１８６】
続いて、信号処理回路３３２で信号処理された画像データは、データ出力回路３３６に送られ、データ出力回路３３６によって所定のデータ形式に変換され、出力端子３４と接続された再生／表示装置４０（例えば、テレビジョン受像機など）に送出され、再生／表示装置４０において画像データが再生・表示される。
【０１８７】
また、バッテリパック１０のメモリ１４０に記録された画像データ（撮像機器２０で撮影した画像データ）を図８、９で示した外部通信端子３５を有する充電器３０Ｃによって閲覧する場合について説明する。
【０１８８】
充電器３０Ｃの場合、外部通信端子３５を介してバッテリパック１０のメモリ１４０のデータを操作するソフトウェアなどが導入されている情報処理装置５０（ＰＣなど）と接続する。そして、図２１の太線及び太枠で示した部分がこのときのデータ通信経路を示したものである。
【０１８９】
まず、バッテリパック１０のメモリ１４０に対するデータ操作を行う場合、操作用のソフトウェアなどが起動され、情報処理装置５０（ＰＣなど）の操作部を操作して「画像再生」を選択する。
【０１９０】
情報処理装置５０（ＰＣなど）のマイコンは、外部通信回路３５０によって選択された「画像再生」に対応した操作制御信号を充電器３０Ｃに送出する。
【０１９１】
充電器３０Ｃは、情報処理装置５０（ＰＣなど）から送られてくる操作制御信号を外部通信回路３５０で受信すると、マイコン３３１の制御に従い、この操作制御信号を所定のデータ形式に変換し、通信回路３４０によってバッテリパック１０に送出する。
【０１９２】
バッテリパック１０のマイクロコンピュータ１３０は、充電器３０Ｃを介して送られてくる情報処理装置５０（ＰＣなど）からの操作制御信号を通信回路１５０で受信すると、この操作制御信号に基づいてメモリ１４０に記録されている画像データの中から所望の画像データを選択するための画像選択データ（画像選択メニュー）を生成し、通信回路１５０によって生成した画像選択データ（画像選択メニュー）を充電器３０Ｃに送出する。
【０１９３】
充電器３０Ｃのマイコン３３１は、バッテリパック１０から送られてくる画像選択データを通信回路３４０で受信すると、受信した画像選択データ（画像選択メニュー）を所定のデータ形式に変換し、外部通信回路３５０により変換した画像選択データ（画像選択メニュー）を情報処理装置５０（ＰＣなど）に送出する。
【０１９４】
情報処理装置５０（ＰＣなど）のマイコンは、充電器３０Ｃから送られてくる画像選択データを外部通信回路で受信すると、受信した画像選択データ（画像選択メニュー）を再生／表示部を介してモニタ画面などに表示する。
【０１９５】
ユーザは、情報処理装置５０（ＰＣなど）の操作部を操作し、モニタ画面などに表示された画像選択データ（画像選択メニュー）の中から閲覧したい画像の画像選択データを指定し、指定された画像選択データは外部通信回路を介して充電器３０Ｃに送出される。
【０１９６】
充電器３０Ｃのマイコン３３１は、情報処理装置５０（ＰＣなど）から送られてくる画像選択データを外部通信回路３５０で受信すると、受信した画像選択データ（画像選択メニュー）を所定のデータ形式に変換し、通信回路３４０によってバッテリパック１０に送出する。
【０１９７】
バッテリパック１０のマイクロコンピュータ１３０は、充電器３０Ｃを介して送られてくる画像選択データを通信回路１５０で受信すると、この画像選択データに基づき、メモリ１４０に記録されている画像データの中から所定の画像データを読み出し、通信回路１５０によって読み出した画像データを充電器３０Ｃに送出する。
【０１９８】
充電器３０Ｃのマイコン３３１は、バッテリパック１０から送られてくる画像データを通信回路３４０で受信すると、受信した画像データを所定のデータ形式に変換し、変換した画像データを外部通信回路３５０によって情報処理装置５０（ＰＣなど）に送出する。
【０１９９】
情報処理装置５０（ＰＣなど）は、マイコンの制御に従って、外部通信回路で受信した画像データに所定の信号処理を施し、信号処理したデータを再生／表示部に送り、再生／表示部で再生された画像データがモニタ画面などに再生／表示される。
【０２００】
なお、上述したデータは、画像データに限定されるものではなく、音響データやソフトウェア、プログラムなどであってもよい。
【０２０１】
【発明の効果】
以上説明したように、電子機器で処理したデータはバッテリパックのメモリに記録されるので、記憶媒体（メモリカードや磁気テープなど）の着脱も不要であり、バッテリパックのメモリに記録されたデータを操作するときは、バッテリパックを電子機器や充電器にセットした状態のままでデータの操作を行うことができるので、簡単にデータの操作を行うことができるという優れた効果を奏するものである。
【０２０２】
電子機器で処理されたデータを記録するメモリは、バッテリパックに内蔵されいるので、バッテリパックの構造も簡単で、従来のバッテリパックと同じ接続端子や通信端子を流用することが可能であり、従来のバッテリパックを用いている電子機器にも使用することができるというメリットがある。
【０２０３】
一方、充電器は、バッテリパックのメモリに記録されたデータを操作することができるデータ操作手段やデータを再生する再生手段や他の機器へ出力することができるデータ出力手段を設けたり、ＰＣなどの情報処理装置を接続してデータ操作可能なデータ操作制御手段を設けているので、バッテリパックを充電しながらデータの読み出し処理、書き込み処理、削除処理、複製処理などの操作を簡単に行うことができるという優れた効果を奏するものである。
【０２０４】
また、電子機器や充電器では、バッテリパックと接続する端子が従来のものと同じ構造でよく、電子機器にはデータを記録するための記録媒体（メモリカードや磁気テープなど）を着脱する機構を設けない構造でもよくなり、機器を小型化して携帯性を向上することが可能となる。また、記録媒体の携行を忘れたり、紛失したりする可能性も小さくなるというメリットもある。
【図面の簡単な説明】
【図１】本発明に係るバッテリパックの一例を示した外観図である。
【図２】本発明に係るバッテリパックの内部構成を略示的に示したブロック図である。
【図３】図２のバッテリパックを電子機器である撮像機器に装着したときの構成を略示的に示したブロック図である。
【図４】本発明に係る充電器にバッテリパックをセットしたときの一例を示した外観図である。
【図５】図４で示した充電器及びバッテリパックの内部構成を略示的に示したブロック図である。
【図６】図４とは別の構成を持つ充電器にバッテリパックをセットしたとき外観図である。
【図７】図６で示した充電器及びバッテリパックの内部構成を略示的に示したブロック図である。
【図８】図４、図６とは別の構成を持つ充電器にバッテリパックをセットしたとき外観図である。
【図９】図８で示した充電器及びバッテリパックの内部構成を略示的に示したブロック図である。
【図１０】図３で示す構成において、電子機器（撮像機器）にバッテリパックを装着したときの動作過程を示したフローチャートである。
【図１１】図１０における電子機器とバッテリパック間のデータの通信経路を示した説明図である。
【図１２】図１０において、電子機器（撮像機器）の表示部の一例を示した説明図である。
【図１３】図３で示す構成において、電子機器（撮像機器）で処理したデータ（画像データ）をバッテリパックのメモリに記録するときの動作過程を示したフローチャートである。
【図１４】図１３において、電子機器（撮像機器）とバッテリパック間のデータの通信経路を示した説明図である。
【図１５】図５で示す構成において、充電器にバッテリパックを装着したときの動作過程を示したフローチャートである。
【図１６】図１５において、充電器とバッテリパック間のデータの通信経路を示した説明図である。
【図１７】図１５において、充電器のバッテリ情報表示部の一例を示した説明図である。
【図１８】図５で示す構成において、バッテリパックに記録されているデータ（画像データ）を充電器で操作して再生するときの動作過程を示したフローチャートである。
【図１９】図１８において、充電器とバッテリパック間のデータの通信経路を示した説明図である。
【図２０】図７で示す構成において、バッテリパックに記録されているデータ（画像データ）を充電器で操作して再生／表示装置で再生するときのデータの通信経路を示した説明図である。
【図２１】図９で示す構成において、バッテリパックに記録されているデータ（画像データ）を充電器を介して接続された情報処理装置で操作して再生するときのデータの通信経路を示した説明図である。
【符号の説明】
１０；バッテリパック、１１；＋端子、１２；−端子、１３；通信端子、１１０；バッテリセル、１２０；充放電制御回路、１３０；マイクロコンピュータ、１４０；メモリ、１５０；通信回路、１６０；電流検出回路、１７０；充放電制御スイッチ、１８０；発振回路、１８５；サーミスタ
２０；撮像機器、２１；＋端子、２２；−端子、２３；通信端子、２１０；電源回路、２２０；メイン回路、２２１；撮像部、２２２；信号処理部、２２３；マイコン、２２４；メモリ、２２５；操作部、２３０；通信回路
３０Ａ；充電器、３１；＋端子、３２；−端子、３３；通信端子、３１０；電源回路、３２０；充電回路、３３０；メイン回路、３３１；マイコン、３３２；信号処理回路、３３３；操作部、３３４；再生／表示部、３４０；通信回路、
３０Ｂ；充電器、３４；出力端子、３３５；表示部、３３６；データ出力回路
３０Ｃ；充電器、３５；外部通信端子、３３５；表示部、３５０；外部通信回路
４０；再生／表示装置、５０；情報処理装置（ＰＣなど）
【図１】
2004335248.tif 000003
【図２】
2004335248.tif 000004
【図３】
2004335248.tif 000005
【図４】
2004335248.tif 000006
【図５】
2004335248.tif 000007
【図６】
2004335248.tif 000008
【図７】
2004335248.tif 000009
【図８】
2004335248.tif 000010
【図９】
2004335248.tif 000011
【図１０】
2004335248.tif 000012
【図１１】
2004335248.tif 000013
【図１２】
2004335248.tif 000014
【図１３】
2004335248.tif 000015
【図１４】
2004335248.tif 000016
【図１５】
2004335248.tif 000017
【図１６】
2004335248.tif 000018
【図１７】
2004335248.tif 000019
【図１８】
2004335248.tif 000020
【図１９】
2004335248.tif 000021
【図２０】
2004335248.tif 000022
【図２１】
2004335248.tif 000023